(57)【特許請求の範囲】
【請求項１】
洋風便器本体の後部上面に固定され、機能装置を収納し、該機能装置に連通する開口部が設けられたケーシングを備えた便器装置において、
前記開口部に形成され、垂直方向に延びる平板状のルーバーと、
前記開口部に形成され、前記ケーシングの外部から該開口部を通過する飛散水が衝突してその勢いを弱める網体と、
該開口部の内側下方に形成され、該開口部を通過した飛散水を受ける水受け部とを備えていることを特徴とする便器装置。
【請求項２】
洋風便器本体の後部上面に固定され、機能装置を収納し、該機能装置に連通する開口部が設けられたケーシングを備えた便器装置において、
前記開口部に形成され、前記ケーシングの外部から該開口部を通過する飛散水が衝突してその勢いを弱める網体と、
該開口部の内側下方に形成され、該開口部を通過した飛散水を受ける水受け部と、
前記水受け部の下面に設けられ、飛散水が通過する水抜き孔と、
該水抜き孔と前記ケーシングの外部とを連通する排水路とを備えていることを特徴とする便器装置。
【発明の詳細な説明】
【技術分野】
【０００１】
本発明は便器装置に関する。
【背景技術】
【０００２】
特許文献１に従来の便器装置が開示されている。この便器装置は、洋風便器本体の後部上面に固定され、脱臭装置等を収納するケーシングを備えている。脱臭装置の排気口がケーシングの側面に設けられている。この排気口の外側には、上部に回転軸を有する開閉シャッターが設けられている。この開閉シャッターは、脱臭装置の排気により排気口を開放する。この開閉シャッターにより、便器本体に設けられた手洗い器等から飛散する水が、排気口からケーシング内部に侵入することを防止している。
【０００３】
【特許文献１】特開２００５−１３９６１８号公報
【発明の開示】
【発明が解決しようとする課題】
【０００４】
しかし、上記従来の便器装置では、開閉シャッターが脱臭装置の排気の抵抗になるため、脱臭能力が低下してしまう。または、開閉シャッターを回動させ、排気口を開放するために、必要以上に脱臭装置のファンの回転数を増加させなければならないため、ファンの回転音が大きくなったり、脱臭装置の電気消費量が多くなったりしてしまう。また、下方向にしか排気口から排気することができない。
【０００５】
本発明は、上記従来の実情に鑑みてなされたものであって、機能装置への水の浸入を防止しつつ、機能装置を良好に作動させることのできる便器装置を提供することを解決すべき課題としている。
【課題を解決するための手段】
【０００６】
本発明の便器装置は、洋風便器本体の後部上面に固定され、機能装置を収納し、該機能装置に連通する開口部が設けられたケーシングを備えた便器装置において、
前記開口部に形成され、垂直方向に延びる平板状のルーバーと、
前記開口部に形成され、前記ケーシングの外部から該開口部を通過する飛散水が衝突してその勢いを弱める網体と、
該開口部の内側下方に形成され、該開口部を通過した飛散水を受ける水受け部とを備えていることを特徴とする。
【０００７】
この便器装置では、洋風便器本体の近傍で使用者が手洗いを行ったり、洋風便器本体を掃除したりするときに生じる飛散水が開口部を通過する際には、網体により勢いが弱められる。このため、飛散水は、開口部の内側下方に形成された水受け部に落下する。よって、機能装置まで飛散水が侵入しない。また、網体は、飛散水が通過する程度の粗さであるため、空気抵抗が少なく、機能装置の能力低下を防止することができる。また、静音化及び省電力化を図ることができる。さらに、開口部から所望の方向に排気することができる。
【０００８】
したがって、本発明の便器装置は、機能装置への水の浸入を防止しつつ、機能装置を良好に作動させることができる。
【０００９】
機能装置は、洋風便器本体に機能を付加するもの又は洋風便器本体に固定される便座装置に機能を付加するものであり、例えば、便座・便蓋開閉装置、人体検知装置、便器洗浄装置、局部洗浄装置、温風乾燥装置、脱臭装置、部屋暖房装置、空気清浄装置、音楽再生装置及び照明装置等である。また、これら機能装置のうち、ケーシングに設けられた開口部に連通される機能部は、温風乾燥装置、脱臭装置、部屋暖房装置、空気清浄装置、音楽再生装置である。
【００１０】
網体は、４０メッシュ〜６０メッシュの粗さであるとよい。この場合、飛散水の勢いが弱められる一方、空気抵抗は少ない。
【００１１】
開口部には、垂直方向に延びる平板状のルーバーが形成されている。この場合、開口部からの排気を一方向に整流して排気することができる。
【００１２】
本発明の他の便器装置は、洋風便器本体の後部上面に固定され、機能装置を収納し、該機能装置に連通する開口部が設けられたケーシングを備えた便器装置において、
前記開口部に形成され、前記ケーシングの外部から該開口部を通過する飛散水が衝突してその勢いを弱める網体と、
該開口部の内側下方に形成され、該開口部を通過した飛散水を受ける水受け部と、
前記水受け部の下面に設けられ、飛散水が通過する水抜き孔と、
該水抜き孔と前記ケーシングの外部とを連通する排水路とを備えていることを特徴とする。
この場合、水受け部に溜まった飛散水をケーシングの外部の所定の位置へ排水することができる。このため、ケーシングの内部に飛散水が滞留しない。
【発明を実施するための最良の形態】
【００１３】
以下、本発明を具体化した実施例を図面を参照しつつ説明する。
【実施例１】
【００１４】
図１に示すように、実施例１の便器装置は、洋風便器本体１の後部上面に固定され、機能装置を収納するケーシングを備えている。ケーシングは、ケーシング本体１０、右背面カバー２０、左背面カバー３０及び上面カバー６０とからなる。ケーシング本体１０の前方上面には便蓋７０及び、図示しないが、便蓋７０の下方に位置する便座が回動可能に支持されている。機能装置は、給水管４２が接続された便器洗浄装置４０、スピーカー４１が接続された音楽再生装置の他に、図示しないが、便座・便蓋開閉装置、人体検知装置、局部洗浄装置、温風乾燥装置、脱臭装置、部屋暖房装置、空気清浄装置等から構成されている。便器洗浄装置４０は、人体検知装置の人体検知により自動的に駆動され、便鉢に洗浄水を供給する。また、便器洗浄装置４０は、ケーシング本体１０の右側面に設けられた洗浄ボタン４３を操作することによっても駆動可能である。ケーシング本体１０はベースプレート５０に固定されている。図２に示すように、ベースプレート５０の後部は、ボルト孔５１を貫通するボルトＢにより便器本体１に固定される。
【００１５】
図１に示すように、右背面カバー２０には、開口部２１Ａが設けられている。また、右背面カバー２０には、スピーカー４１からの音が通過するように複数の小孔２７Ａが設けられている。さらに、右背面カバー２０には、左右に係止爪２８、２９が設けられており、ケーシング本体１０には、係止爪２８、２９に対応する位置に下方側に向かって幅の狭まる縦長形状の係止孔１２、１３が設けられている。右背面カバー２０は、係止爪２８、２９をケーシング本体１０の係止孔１２、１３に係止してケーシング本体１０に固定される。
【００１６】
左背面カバー３０にも、開口部２１Ｂ及び複数の小孔２７Ｂが設けられ、右背面カバー２０と同様な構成を有し、ケーシング本体１０に固定される。このように、開口部２１Ａ、２１Ｂ及び複数の小孔２７Ａ、２７Ｂは、右背面カバー２０及び左背面カバー３０に設けられているため、使用者には見え難くされている。ケーシング本体１０に右背面カバー２０及び左背面カバー３０が固定された後、上面カバー６０がケーシング本体１０の上面に固定される。
【００１７】
図２に示すように、右背面カバー２０がケーシング本体１０に固定されると、開口部２１Ａは、連通路１１の一端に連通する。連通路１１の他端は、ケーシング本体１０内に収納された、図示しない部屋暖房装置、空気清浄装置及び脱臭装置に連通している。このため、開口部２１Ａからは、部屋暖房装置から発生した温風、空気清浄装置から発生した除菌イオン及び脱臭装置からの排気が排出される。
【００１８】
開口部２１Ａには、垂直方向に延びる平板状のルーバー２２が形成されている。開口部２１Ａの内側には、４０メッシュの粗さの網体２３が溶着されている。開口部２１Ａの内側下方には、水抜き孔２４Ｈを下面に有する水受け部２４が形成されている。この水受け部２４は、水抜き孔２４Ｈに向けて下り勾配を有しているため、水受け部２４に落下した飛散水Ｗは、確実に水抜き孔２４Ｈから排出される。また、水受け部２４の開口部２１Ａに対面する側部には、上方向に延びる壁部２５が形成されている。このため、洋風便器本体１の近傍で使用者が手洗いを行ったり、洋風便器本体１を掃除したりするときに生じる飛散水Ｗが開口部２１Ａを通過する際には、網体２３により勢いが弱められ、網体２３を通過した水滴は一定の大きさ以下にされ、水受け部２４に落下する。よって、飛散水Ｗが機能装置まで飛散することが防止される。また、飛散水Ｗが連通路１１を介して機能装置へ侵入することを壁部２５によっても防止している。
【００１９】
網体２３の空気抵抗が少ないため、部屋暖房装置等の機能装置の能力低下を防止することができる。また、静音化及び省電力化を図ることができる。また、開口部２１Ａからの排気は、ルーバー２２により便器装置の後方へ整流して排気される。
【００２０】
したがって、実施例１の便器装置は、機能装置への水の浸入を防止しつつ、機能装置を良好に作動させることができる。
【００２１】
水抜き孔２４Ｈから落下した飛散水は、排水路Ｒを経由し、右背面カバー２０の下端に形成された隙間Ｓから外部へ排出される。
【００２２】
右背面カバー２０には、右背面カバー２０がケーシング本体１０に固定された際に、スピーカー４１の音が通過する通路２６が形成されている。このため、スピーカー４１からの音がケーシング内部で拡散せず、右背面カバー２０に設けられている複数の小孔２７Ａから良好な音を出すことができる。
【００２３】
以上において、本発明を実施例に即して説明したが本発明は上記実施例に制限されるものではなく、その趣旨を逸脱しない範囲で適宜変更して適用できることはいうまでもない。
【００２４】
例えば、網体２３をケーシングにインサート成形してもよい。また、網体２３をケーシングに両面テープで貼着してもよい。また、ケーシングを成形すると同時に網体を一体に成形してもよい。
【００２５】
また、水受け部２４の下面に水抜き孔２４Ｈを設けなくてもよい。この場合、水受け部２４に溜まる水が自然乾燥により蒸発してなくなる程度であるように、網体２３の粗さを調整し、一度に大量の飛散水が開口部２１Ａ、２１Ｂを通過しないようにする。
【００２６】
また、ケーシング本体１０と、左右背面カバー２０、３０とを一体に成形し、その側面に開口部を設けてもよい。
【産業上の利用可能性】
【００２７】
本発明は洋風水洗式便器に利用可能である。
【図面の簡単な説明】
【００２８】
【図１】実施例１の便器装置の分解斜視図である。
【図２】実施例１の便器装置の一部断面図である。
【符号の説明】
【００２９】
１…洋風便器本体
１０、２０、３０、６０…ケーシング（１０…ケーシング本体、２０…右背面カバー、３０…左背面カバー、６０…上面カバー）
１１…連通路
２１Ａ、２１Ｂ…開口部
２２…ルーバー
２３…網体
２４…水受け部
２４Ｈ…水抜き孔
４０…便器洗浄装置（機能装置）
Ｒ…排水路
【図１】
0005084522.tif 000002
【図２】
0005084522.tif 000003